(57)【要約】【課題】二重筒の各々の空間にボールを投入した、ランダムな数字を抽出するゲーム玩具の付いた筆記具やライター等身辺器具を提供する。【解決手段】筒（１）の下部に複数個のＵ溝（２）を設け、各々のＵ溝（２）の両端にすべり面（３）を設け、各々のＵ溝（２）を仕切り板（５）で分けて、底ぶた（７）を付けて、内筒（１）と外筒（６）の各々の空間に、ボールを前面に均等に３０個投入し、背面には、均等に４０個を投入して上ぶた（８）で密閉することを特徴とする。【選択図】図１
2004033709.tif 000002
【特許請求の範囲】
【請求項１】
内筒（１）の下部に複数個のＵ溝（２）を、前面と背面に設け、各々のＵ溝（２）の両端には、すべり面（３）を前面と背面に設け、各々の、すべり面（３）の上端部が合致するように、しきり板（４）を設け同様に前面と背面を分割して、外筒（５）がＵ溝（２）に重なるように前面と背面に０から９まで、均等に数字を設け、内筒（１）に外筒（５）を被せて、底ぶた（７）を付け合わせて、内筒（１）と外筒（５）の各々の空間に、前面には各々が異なる色よりなる複数個のボール（６ａ）と他色からなる同一色の複数個のボール（６ｂ）をＵ溝（２）が作用するように各々の空間に、均等に投入し、背面には各々が異なる色よりなる複数個のボール（６ｃ）と他色からなる同一色の複数個のボール（６ｄ）を同様に投入して、上ぶた（８）で密閉したランダムな数字を抽出するゲーム玩具。
【請求項２】
内筒（１）の内側を中空部（９）とし、中空部（９）に筆記具又はライター等を収容可能とする請求項１記載のランダムな数字を抽出するゲーム玩具。
【発明の詳細な説明】
【０００１】
【発明の属する技術分野】
この発明は、ボールを利用してランダムな数字を抽出するゲーム玩具を、ボールペンやシャープペンシル等の筆記具又はライター等の身辺器具にとり付けて常時携帯可能にした、数字合わせのゲーム玩具であり又、ランダム・サンプリング法による製品検査に利用する発明に関するものである。
【０００２】
【従来の技術】
従来、数字のゲームやランダム・サンプリング法による製品検査をするときに、ランダムな数字を抽出する１０面体や２０面体の乱数サイがあった。
【０００３】
【発明が解決しようとする課題】
これは、次のような欠点があった。
（イ）　乱数サイを転がして数字を抽出するので、適した場所にて無意識に転がさねばならず、抽出にも手間がかかってめんどうであった。
（ロ）　抽出中になくしたり管理してても、いつの間にかなくなったりした。
（ハ）　乱数表で、サイコロと鉛筆を使用して、ランダムな数字を抽出するのは大変難しかった。
本発明は、これらの欠点を除くためになされたものである。
【０００４】
【課題を解決するための手段】
内筒（１）の下部に複数個のＵ溝（２）を前と後ろに設け、各々のＵ溝（２）の両端には、すべり面（３）を前と後ろに設け、各々の、すべり面（３）の上端部が合致するように、仕切り板（４）を設け、同様に前と後を分割して、外筒（５）が、Ｕ溝（２）に重なるように前と後ろに０から９まで均等に数字を設け、内筒（１）に外筒（５）を被せて、底ぶた（７）を付け合わせて、内筒（１）と外筒（５）の各々の空間に、前には各々が異なる色よりなる３個のボール（６ａ）と他色からなる同一色の２７個のボール（６ｂ）をＵ溝（２）が作用するように各々の空間に均等に投入し、後ろには各々が異なる色よりなる４個のボール（６ｃ）と他色からなる同一色の３６個のボール（６ｄ）を同様に投入して、上ぶた（８）で密閉する。本発明は、以上のような構成よりなるランダムな数字を抽出するゲーム玩具である。
【０００５】
【発明の実施の形態】
以下、本発明の実施例について説明する。
（イ）　内筒（１）の下部に複数個のＵ溝（２）を前後に設け、各々の、Ｕ溝（２）の両端には、すべり面（３）を前後に設ける。
（ロ）　各々の、すべり面（３）の上端部が合致するように、仕切り板（４）を設け、さらに同様に前と後ろを分割して、外筒（５）に、Ｕ溝（２）が重なるように、前と後ろに０から９まで均等に数字を設ける。
（ハ）　内筒（１）に設けたＵ溝（２）に、数字が重なるように外筒（５）を被せて、底ぶた（７）を付け合わせて外筒（５）と内筒（１）の各々の空間に、前には各々が異なる色よりなる３個のボール（６ａ）と他色からなる同一色の２７個のボール（６ｂ）を投入し、後ろには各々が異なる色よりなる４個のボール（６ｃ）と他色からなる同一色の３６個のボール（６ｄ）を投入して、上ぶた（８）で密閉する。
本発明は以上のような構造で、これを使用するときは外筒（５）を手で持って逆さまにして、外筒（５）を上下動させる。外筒（５）を上下に振ることにより、ボールが自然に混ざり、かくはん状態になったところで、外筒（５）を元に戻すと、すべり面（３）も作用して、すべてのボールが、各々のＵ溝（２）全体に向かって瞬時に転がり込む、しかも、各々のＵ溝（２）には１個のみ異色のカラーボールを含むので、外筒（５）に設けた数字と重なった、カラーボールが、数字を抽出する。このように前面には３桁さらに背面には４桁のランダムな数字が瞬時にして出来上がる。なお、他の実施例として図１０と図１１と図１２に示すように、異なる色１個のボール（６ａ）と他色からなる同一色の５個のボール（６ｂ）を使用してもよい、なお外筒（５）は、Ｕ溝（２）と重なる部分以外は、透明でなくてもよい。このようにサイコロの作用をするゲーム玩具になる。さらにこの形状は、円状でも、だ円状でもよい。
【０００６】
【発明の第２実施の形態】
発明の第２実施の形態では、図７に示すように、内筒（１）にＵ溝（２）を前面には４列設け、但し右最端列はボール（６ｂ）１個分のＵ溝（２）とする。さらに背面には５列のＵ溝（２）を設け、但し右最端列はボール（６ｄ）３個分のＵ溝（２）とする。そして図７に示すように、すべり面（３）を両最端に設け、仕切り板（４）で前面と背面を分割して、外筒（５）に、内筒（１）に設けられたＵ溝（２）が重なるように、１から３１まで均等に数字を設ける。同様に背面には１から４３まで均等に数字を設けて、内筒（１）に設けられたＵ溝（２）に、外筒（５）に設けられた数字が重なるように、外筒（５）を内筒（１）に被せて、底ぶた（７）を付け合わせて、内筒（１）と外筒（５）の空間に、前面には同一色５個のボール（６ａ）と他色の同一色の２６個のボール（６ｂ）を投入して、背面には同一色６個のボール（６ｃ）と他色の同一色の３７個のボール（６ｄ）を投入して、上ぶた（８）で密閉する。以上のような構造であるから、使用方法も前記と同様で、さらに器具の交換も可能である。
【発明の効果】
このように、簡単に素早くランダムな数字が抽出できるから、数字合わせのゲームや数字選択式宝くじのゲーム玩具として、シャープペンシルやライターなど常時携帯可能な器具に付けるといつでもどこでも遊び心で使用でき、さらには、ランダム・サンプリング法による製品検査にも利用できる。しかも形状がいたって簡単であるから、お菓子の容器、万華鏡、貯金箱、筆立てなどのケースに付けると、付加価値の向上が狙える。
【図面の簡単な説明】
【図１】本発明の要部の正面図である。
【図２】本発明の要部の背面図である。
【図３】本発明の要部のＡ−Ａ線の拡大断面図である。
【図４】本発明の要部の斜視図である。
【図５】本発明の要部の背面の斜視図である。
【図６】本発明の全体の正面図である。
【図７】本発明の第２実施の要部の正面図である。
【図８】本発明の第２実施の要部の背面図である。
【図９】本発明の第２実施の要部のＢ−Ｂ線の拡大断面図である。
【図１０】本発明の他の実施例を示す正面図である。
【図１１】本発明の他の実施例を示すＣ−Ｃ線の拡大断面図である。
【図１２】本発明の他の実施例を示す全体の正面図である。
【符号の説明】
１　　内筒
２　　Ｕ溝
３　　すべり面
４　　仕切り板
５　　外筒
６ａ　ボール
６ｂ　ボール
６ｃ　ボール
６ｄ　ボール
７　　底ぶた
８　　上ぶた
９　　中空部
【図１】
2004033709.tif 000003
【図２】
2004033709.tif 000004
【図３】
2004033709.tif 000005
【図４】
2004033709.tif 000006
【図５】
2004033709.tif 000007
【図６】
2004033709.tif 000008
【図７】
2004033709.tif 000009
【図８】
2004033709.tif 000010
【図９】
2004033709.tif 000011
【図１０】
2004033709.tif 000012
【図１１】
2004033709.tif 000013
【図１２】
2004033709.tif 000014